(57)【特許請求の範囲】
【請求項１】
燃料噴射弁が接続されたコモンレールと、前記コモンレールに燃料を圧送する高圧ポンプと、前記高圧ポンプに供給する燃料の流量を調節する流量制御弁と、を備えた蓄圧式燃料噴射装置によって内燃機関の制御を行うための制御装置であって、アイドリングストップ制御を実行可能な内燃機関の制御装置において、
所定のアイドリングストップ条件が成立したことを検出するとともに前記内燃機関を自動停止させるよう指示を出力するアイドリングストップ条件成立検出部と、
前記内燃機関の自動停止中に所定の再始動条件が成立したことを検出するとともに前記内燃機関を再始動させるよう指示を出力する再始動条件成立検出部と、
前記コモンレール内の圧力を検出するレール圧検出部と、
前記内燃機関の再始動時に前記コモンレール内の圧力が所定の第１の閾値以上となっているときには、前記内燃機関の再始動時に所定時間、前記流量制御弁を閉じた状態とする流量制御弁制御部と、
を備えることを特徴とする内燃機関の制御装置。
【請求項２】
前記第１の閾値が、前記高圧ポンプから前記高圧ポンプの駆動系への許容される負荷に基づく値であることを特徴とする請求項１に記載の内燃機関の制御装置。
【請求項３】
前記流量制御弁制御部は、前記内燃機関の自動停止時に前記流量制御弁を閉じた状態で維持するとともに、前記内燃機関の自動停止中に前記コモンレール内の圧力が前記第１の閾値を下回ったときには前記流量制御弁を開くことを特徴とする請求項１又は２に記載の内燃機関の制御装置。
【請求項４】
前記流量制御弁制御部は、前記内燃機関の自動停止時に前記流量制御弁を開いた状態で維持するとともに、前記所定の再始動条件の成立時に、前記コモンレールの圧力が前記第１の閾値以上と判定されたときに前記流量制御弁を閉じることを特徴とする請求項１又は２に記載の内燃機関の制御装置。
【請求項５】
前記流量制御弁制御部は、前記内燃機関の再始動時に、前記コモンレール内の圧力が前記第１の閾値よりも大きく、かつ、前記燃料噴射弁からの燃料噴射によって前記コモンレール内の圧力が速やかに前記第１の閾値未満となるような第２の閾値以下となったときに前記流量制御弁を開くことを特徴とする請求項１〜４のいずれか一項に記載の内燃機関の制御装置。
【請求項６】
前記流量制御弁制御部は、前記内燃機関の再始動時に、前記内燃機関の回転数が所定の閾値以上になったときに前記流量制御弁を開くことを特徴とする請求項１〜４のいずれか一項に記載の内燃機関の制御装置。
【発明の詳細な説明】
【技術分野】
【０００１】
本発明は、蓄圧式燃料噴射装置を用いて内燃機関の制御を行うための内燃機関の制御装置に関するものである。特に、アイドリングストップ制御を実行可能な内燃機関の制御装置に関するものである。
【背景技術】
【０００２】
従来、ディーゼルエンジンをはじめとする内燃機関の気筒内に燃料を噴射する装置として、高圧ポンプによって供給される高圧状態の燃料を蓄積するためのコモンレールを備えた蓄圧式燃料噴射装置（コモンレールシステム）が用いられている。コモンレールには複数の燃料噴射弁が接続されており、高圧の燃料が各燃料噴射弁に供給された状態で各燃料噴射弁の開弁時期及び開弁時間が制御されることで、様々な燃料噴射パターンで内燃機関の気筒内に燃料が噴射される。
【０００３】
この蓄圧式燃料噴射装置において、通常、高圧ポンプは内燃機関の動力によって駆動されるように構成されている。具体的には、高圧ポンプのカムシャフトはギアを介して内燃機関のドライブシャフトに連結されており、内燃機関の運転中には高圧ポンプも作動する一方、内燃機関の停止時には高圧ポンプも停止する。
【０００４】
蓄圧式燃料噴射装置では、コモンレール内の圧力（以下「レール圧」と称する。）が燃料噴射特性に大きく影響する。レール圧の制御方法として、高圧ポンプの加圧室へ供給する燃料の流量を流量制御弁によって調節し、高圧ポンプからコモンレールへ供給する高圧の燃料の流量を調節する制御方法がある。
【０００５】
このような蓄圧式燃料噴射装置を用いた内燃機関の制御において、近年、燃費の向上や、排気ガス量及び騒音の低減等を目的として、内燃機関が搭載された車両の一時停止中に内燃機関を自動停止させるアイドリングストップ制御が実用化されている。このアイドリングストップ制御においては、所定のアイドリングストップ条件が成立したときに内燃機関が自動停止させられるとともに、自動停止中に所定の再始動条件が成立したときに内燃機関が再始動させられる。
【０００６】
このアイドリングストップ制御が実行可能な内燃機関が搭載された車両においては、自動停止状態からの再始動性が商品性に重要な影響を与える要素となっている。そのため、内燃機関のアイドリングストップ制御中の停止時間を短縮したり、再始動性を確実に向上させたりすることのできる内燃機関の制御装置が提案されている。より具体的には、アイドリングストップ制御による内燃機関の自動停止時に高圧ポンプの吐出流量を増加させ、内燃機関の負荷を調節することで、クランク角を再始動に適した所定のクランク角で停止させ、再始動時にはスタータの作動と同時に燃料噴射を開始させるようにした内燃機関の制御装置が開示されている（特許文献１参照）。
【先行技術文献】
【特許文献】
【０００７】
【特許文献１】特開２００８−１６３７９６号公報（全文、全図）
【発明の概要】
【発明が解決しようとする課題】
【０００８】
内燃機関が、例えばディーゼルエンジンの場合、エンジンの自動停止状態からの再始動性を向上させるためには、エンジンにおける圧縮比が十分であり、かつ、蓄圧式燃料噴射装置による燃料噴射が可能であることが要因となる。これらの二つの要因のうち、圧縮比が十分であるか否かはエンジン側の問題であり、燃料噴射が可能であるか否かは蓄圧式燃料噴射装置側の問題である。蓄圧式燃料噴射装置において燃料噴射が可能であるか否かは、レール圧が燃料の正常噴射が可能な圧力（以下「噴射可能圧力」と称する。）以上に確保されているか否かによる。
【０００９】
そのため、内燃機関の再始動性を向上させるために、アイドリングストップ制御による内燃機関の自動停止中においても、レール圧が高い状態で維持されるように制御が行われることがある。このとき、コモンレールに接続された燃料噴射弁や高圧ポンプ、圧力制御弁等が閉じられている場合であっても、これらを含む燃料高圧系に存在する微細な隙間から高圧の燃料の一部が燃料低圧系にリークしてレール圧が徐々に低下する場合がある。そのため、自動停止時にレール圧を維持し始めるときのレール圧の目標値は、噴射可能圧力よりも高い値に設定される。
【００１０】
ここで、内燃機関の再始動時に、レール圧が高い状態で維持されたまま内燃機関を始動させようとすると、高圧ポンプの動き出し時に発生する駆動トルクが著しく大きくなり、高圧ポンプの駆動系に多大な負荷を与えることになる。具体的には、高圧ポンプの加圧室とコモンレールとの間には、加圧室内の圧力がレール圧とバルブスプリングのセット力との和を上回ったときに開弁する燃料吐出弁が備えられているため、内燃機関の再始動時に高圧ポンプの加圧室に燃料が供給され、かつ、レール圧が高い状態で高圧ポンプを駆動させると、燃料吐出弁が開かれるまでの期間は加圧室内の圧力が著しく高くなる。その結果、燃料を加圧するためのプランジャを押し上げる大きな力が必要になって、高圧ポンプの駆動系に多大な負荷が発生する。
【００１１】
また、高圧ポンプの停止状態では、カムシャフトに固定されたカムと、カムの回転力をプランジャの上昇力として伝達するタペットとの接触部位において、潤滑油あるいは潤滑用燃料が流れ出し、油膜が不十分な状態となっている。このようにタペットとカムとの接触部位の油膜が不十分な状態となっている高圧ポンプの動き出し時に高圧ポンプの駆動系に多大な負荷が与えられると、高圧ポンプの耐久性を低下させることにつながる。
【００１２】
そこで、本発明の発明者は鋭意努力し、アイドリングストップ制御による内燃機関の自動停止状態から内燃機関を再始動させる際に、レール圧が必要以上に高くなっている場合には、高圧ポンプの加圧室への燃料の供給開始時期を所定時間遅らせることにより、上述した問題を解決できることを見出し、本発明を完成させたものである。すなわち、本発明は、内燃機関の自動停止状態からの再始動時に高圧ポンプの駆動系に与えられる負荷を低減することができる内燃機関の制御装置を提供することを目的とする。
【課題を解決するための手段】
【００１３】
本発明によれば、燃料噴射弁が接続されたコモンレールと、コモンレールに燃料を圧送する高圧ポンプと、高圧ポンプに供給する燃料の流量を調節する流量制御弁と、を備えた蓄圧式燃料噴射装置によって内燃機関の制御を行うための制御装置であって、アイドリングストップ制御を実行可能な内燃機関の制御装置において、所定のアイドリングストップ条件が成立したことを検出するとともに内燃機関を自動停止させるよう指示を出力するアイドリングストップ条件成立検出部と、内燃機関の自動停止中に所定の再始動条件が成立したことを検出するとともに内燃機関を再始動させるよう指示を出力する再始動条件成立検出部と、コモンレール内の圧力を検出するレール圧検出部と、内燃機関の再始動時にコモンレール内の圧力が所定の第１の閾値以上となっているときには、内燃機関の再始動時に所定時間流量制御弁を閉じた状態とする流量制御弁制御部と、を備えることを特徴とする内燃機関の制御装置が提供され、上述した問題を解決することができる。
【００１４】
また、本発明の内燃機関の制御装置を構成するにあたり、第１の閾値が、高圧ポンプから高圧ポンプの駆動系への許容される負荷に基づく値であることが好ましい。
【００１５】
また、本発明の内燃機関の制御装置を構成するにあたり、流量制御弁制御部は、内燃機関の自動停止時に流量制御弁を閉じた状態で維持するとともに、内燃機関の自動停止中にコモンレール内の圧力が第１の閾値を下回ったときには流量制御弁を開くことが好ましい。
【００１６】
また、本発明の内燃機関の制御装置を構成するにあたり、流量制御弁制御部は、内燃機関の自動停止時に流量制御弁を開いた状態で維持するとともに、所定の再始動条件の成立時に、コモンレールの圧力が第１の閾値以上と判定されたときに流量制御弁を閉じることが好ましい。
【００１７】
また、本発明の内燃機関の制御装置を構成するにあたり、流量制御弁制御部は、内燃機関の再始動時に、コモンレール内の圧力が第１の閾値よりも大きく、かつ、燃料噴射弁からの燃料噴射によってコモンレール内の圧力が速やかに第１の閾値未満となるような第２の閾値以下となったときに流量制御弁を開くことが好ましい。
【００１８】
また、本発明の内燃機関の制御装置を構成するにあたり、流量制御弁制御部は、内燃機関の再始動時に、内燃機関の回転数が所定の閾値以上になったときに流量制御弁を開くことが好ましい。
【発明の効果】
【００１９】
本発明の内燃機関の制御装置によれば、アイドリングストップ制御による内燃機関の自動停止状態からの再始動時に、レール圧が必要以上に高い状態で維持されている場合には、高圧ポンプの加圧室への燃料の供給開始時期が所定時間遅らせられる。したがって、レール圧が高い状態において、高圧ポンプの加圧室に燃料が供給されることがなくなり、加圧室内の圧力が著しく上昇することが抑えられ、高圧ポンプの駆動系への負荷が低減される。また、所定時間経過後に加圧室への燃料の供給が開始されて加圧室内の圧力が高くなり、駆動系への負荷が与えられるとしても、高圧ポンプが動き出した後においては、タペットとカムとの接触部位に潤滑油又は潤滑用燃料が浸透して油膜が形成されるために、高圧ポンプの耐久性の低下が抑えられる。
【図面の簡単な説明】
【００２０】
【図１】蓄圧式燃料噴射装置の構成例を示す全体図である。
【図２】高圧ポンプの構成例を説明するための図である。
【図３】本発明の実施の形態にかかる内燃機関の制御装置の構成例を説明するためのブロック図である。
【図４】内燃機関の自動停止時にレール圧が高い状態で維持され続けた場合の制御を説明するためのタイムチャート図である。
【図５】内燃機関の自動停止時にレール圧が低下した場合の制御を説明するためのタイムチャート図である。
【図６】本発明の実施の形態にかかる内燃機関の制御装置によって実行される制御フローである。
【発明を実施するための形態】
【００２１】
以下、図面を参照しながら、本発明にかかる内燃機関の制御装置に関する実施の形態について具体的に説明する。ただし、かかる実施の形態は、本発明の一態様を示すものであって本発明を限定するものではなく、本発明の範囲内で任意に態様を変更することが可能である。なお、それぞれの図中、同じ符号を付してあるものは同じ部材を示しており、適宜説明が省略されている。
【００２２】
１．蓄圧式燃料噴射装置
図１は、内燃機関の制御に用いられる蓄圧式燃料噴射装置５０の構成例を示している。この蓄圧式燃料噴射装置５０は、車両に搭載されたディーゼルエンジン４０の気筒内に燃料を噴射するための装置であって、燃料タンク１と、低圧ポンプ２と、流量制御弁８と、高圧ポンプ５と、コモンレール１０と、圧力制御弁１２と、燃料噴射弁１３と、制御装置６０等を主たる要素として備えている。
【００２３】
低圧ポンプ２と高圧ポンプ５の加圧室５ａとは低圧燃料通路１８ａ、１８ｂで接続されており、高圧ポンプ５の加圧室５ａとコモンレール１０、及びコモンレール１０と燃料噴射弁１３はそれぞれ高圧燃料通路３７、３９で接続されている。また、高圧ポンプ５やコモンレール１０、燃料噴射弁１３等には、燃料噴射弁１３から噴射されない余剰の燃料を燃料タンク１に戻すためのリターン通路３０ａ〜３０ｃが接続されている。
【００２４】
高圧ポンプ５内の低圧燃料通路１８ｂの途中には流量制御弁８が備えられている。流量制御弁８は、例えば、供給電流値によって弁体のストローク量が可変とされ、燃料通過路の面積が調節可能な電磁比例式の流量制御弁が用いられ、加圧室５ａに送られる燃料の流量を調節するために用いられる。本実施形態で用いられる流量制御弁８は、非通電状態で燃料の流路が全開となるノーマルオープンの流量制御弁として構成されている。ただし、非通電状態で燃料の流路が全閉となるノーマルクローズの流量制御弁であってもよい。
【００２５】
流量制御弁８よりも上流側の低圧燃料通路１８ｂから分岐する燃料通路には、流量制御弁８と並列に配置された圧力調整弁１４が備えられている。この圧力調整弁１４は、燃料タンク１に通じるリターン通路３０ａに接続されている。この圧力調整弁１４は、前後の差圧、すなわち、低圧燃料通路１８ｂ内の圧力と、リターン通路３０ａ内の圧力との差圧が所定値を越えたときに開弁されるオーバーフローバルブが用いられている。そのため、低圧ポンプ２によって燃料が圧送されている状態においては、低圧燃料通路１８ａ、１８ｂ内の圧力が、リターン通路３０ａ内の圧力に対して所定の差圧分大きくなるように調整される。
【００２６】
低圧ポンプ２は、燃料タンク１内の燃料を吸い上げて圧送し、低圧燃料通路１８ａ、１８ｂを介して高圧ポンプ５の加圧室５ａに燃料を供給する。図１に示す低圧ポンプ２は燃料タンク１内に備えられたインタンクの電動ポンプであって、バッテリーから供給される電圧によって駆動されて燃料を圧送する。ただし、低圧ポンプ２は、燃料タンク１の外部に設けられるものであってもよく、また、ディーゼルエンジン４０の動力によって駆動するギアポンプであってもよい。
【００２７】
高圧ポンプ５は、燃料吸入弁６を介して低圧ポンプ２によって加圧室５ａへ導入される燃料をプランジャ７によって加圧し、高圧状態の燃料を燃料吐出弁９及び高圧燃料通路３７を介してコモンレール１０に圧送する。燃料吐出弁９は、吐出側に位置するレール圧が高いほどシール性が高められる逆止弁構造となっている。
【００２８】
高圧ポンプ５を駆動するカム１５は、ディーゼルエンジン４０のドライブシャフトにギアを介して連結されたカムシャフトに固定されている。図１に示す高圧ポンプ５は二本のプランジャ７を備えており、この二本のプランジャ７がカム１５によって押し上げられ、二つの加圧室５ａ内で燃料が加圧されてコモンレール１０に対して高圧の燃料が圧送される。
【００２９】
本実施形態の蓄圧式燃料噴射装置５０の高圧ポンプ５は、噴射用燃料を潤滑油として用いる燃料潤滑式の構成となっており、低圧燃料通路１８ａを介して高圧ポンプ５内に送られる燃料は一旦カム室１６内に流れ込み、そこからさらに低圧燃料通路１８ｂを介して加圧室５ａに送られる。
【００３０】
コモンレール１０は、高圧ポンプ５から圧送される高圧の燃料を蓄積し、高圧燃料通路３９を介して接続された複数の燃料噴射弁１３に対して高圧の燃料を供給する。このコモンレール１０には、圧力制御弁１２及び圧力センサ２１が設けられている。このうち圧力センサ２１は、圧電素子センサや半導体センサなど公知の圧力センサが用いられる。
【００３１】
また、圧力制御弁１２は、例えば、供給電流値によって弁体のストローク量が可変とされ、燃料通過路の面積が調節可能な電磁比例式の制御弁が用いられる。目標レール圧や要求噴射量に応じて圧力制御弁１２への通電量が制御され、コモンレール１０からリターン通路３０ｂに排出される高圧の燃料の流量が調節されることで、レール圧が調節される。
【００３２】
コモンレール１０に接続された燃料噴射弁１３は、噴射孔が設けられたノズルボディと、進退移動により噴射孔を開閉するノズルニードルとを備えている。燃料噴射弁１３は、ノズルニードルの後端側に背圧を負荷することで噴射孔が閉じられる一方、負荷された背圧が逃されることで噴射孔が開かれ、コモンレール１０から供給される高圧の燃料をディーゼルエンジンの気筒内に噴射する。この燃料噴射弁１３は、レール圧が所定の噴射可能圧力以上のときに正常な燃料噴射が可能になっている。
【００３３】
燃料噴射弁１３は、背圧制御手段としてピエゾ素子が備えられたピエゾインジェクタや、背圧制御手段として電磁ソレノイドが備えられた電磁制御式燃料噴射弁が用いられる。本実施形態ではピエゾインジェクタが用いられており、このピエゾインジェクタにおいては背圧を逃がすための通路以外にはリターン通路３０ｃに燃料が漏れ出しにくい構造が採用されている。
【００３４】
２．高圧ポンプ
図２は、高圧ポンプ５の具体的な構成の一例を示している。この高圧ポンプ５は、ポンプハウジング５１と、ポンプハウジング５１の円柱空間５１ａ内に装着されたシリンダヘッド５２と、シリンダヘッド５２のシリンダ５２ａに摺動保持されたプランジャ７と、両端をシリンダヘッド５２及びスプリングシート５９に係止され、プランジャ７を下方側に付勢するためのスプリング５５と、プランジャ７及びカム１５の間に介在し、カム１５の回転に伴いプランジャ７を芯出ししつつ押し上げるためのタペット構造体５８とを備えている。また、シリンダヘッド５２のシリンダ５２ａの上方開口部には燃料吸入弁６が配置されるとともに、シリンダ５２ａの軸方向に対して横方向には燃料吐出路５２ｂを介して燃料吐出弁９が配置されている。
なお、図２においては、高圧ポンプ５に備えられた流量制御弁８及び圧力調整弁１４は図示されていない。
【００３５】
この高圧ポンプ５において、シリンダヘッド５２のシリンダ５２ａの一部は、シリンダヘッド５２の内周面とプランジャ７と燃料吸入弁６と燃料吐出弁９とによって閉塞され、加圧室５ａとして構成されている。燃料吸入弁６を介して加圧室５ａに流入した燃料は、当該加圧室５ａ内で、カム１５の回転運動に伴って押し上げられるプランジャ７によって加圧される。加圧室５ａ内の圧力が、燃料吐出弁９のバルブスプリングのセット力とレール圧との総和を上回り燃料吐出弁９が押し開かれることにより、加圧された燃料がコモンレールに向けて圧送される。
【００３６】
上述したように、この高圧ポンプ５では、低圧ポンプによって圧送される燃料がカム室１６内に流入した後、その一部がカム室１６と円柱空間５１ａとを行き来するようになっている。この燃料は、タペット構造体５８のローラ５４とカム１５との接触部位や、円柱空間５１ａとタペット構造体５８との摺動部、上述したシリンダ５２ａとプランジャ７との摺動部、カムシャフト１１とポンプハウジング５１の軸受との摺動部等に行き渡り、潤滑油として機能する。
【００３７】
高圧ポンプ５が駆動している状態において、カム１５による巻き上げや低圧ポンプ２の吐出圧によってカム室１６内の燃料が各接触部位や摺動部等に行き渡り、噴射用燃料を用いた燃料潤滑は正常に機能する。一方、高圧ポンプ５が停止している状態においては、カム室１６内の燃料が各接触部位や摺動部等に行き渡りにくくなり、また、各接触部位や摺動部等から燃料が流れ出すことで、油膜が不十分な状態になりやすい。
【００３８】
３．内燃機関の制御装置
図３は、本実施形態のディーゼルエンジン４０の制御装置６０のうち、アイドリングストップ制御によるディーゼルエンジン４０の自動停止状態からの再始動時に行われる制御に関連する部分を機能的なブロックで表した構成例を示している。
【００３９】
この制御装置６０は、アイドリングストップ条件成立検出部６１及び再始動条件成立検出部６２を含むアイドリングストップ制御部６３と、目標レール圧演算部６５と、レール圧検出部６７と、レール圧判定部６９と、燃料噴射弁制御部７１と、流量制御弁制御部７３と、圧力制御弁制御部７５等を備えている。この制御装置６０は、公知の構成からなるマイクロコンピュータを中心に構成されており、各部はマイクロコンピュータによるプログラムの実行によって実現される。また、制御装置６０には、各部での演算結果や検出結果を記憶するための図示しないＲＡＭ（Random Access Memory）が備えられている。
【００４０】
（１）アイドリングストップ制御部
アイドリングストップ制御部６３は、アイドリングストップ条件成立検出部６１によって所定のアイドリングストップ条件の成立が検出されると、燃料噴射を停止してディーゼルエンジン４０を停止させるように燃料噴射弁制御部７１に対して指示信号を送信する。このとき、アイドリングストップ制御部６３は、圧力制御弁１２に対して所定の保持電流A1を通電するように圧力制御弁制御部７５に対して指示信号を送信する。
【００４１】
また、アイドリングストップ制御部６３は、ディーゼルエンジン４０がアイドリングストップ制御によって自動停止している間に、再始動条件成立検出部６２によって所定の再始動条件の成立が検出されると、燃料噴射を再開してディーゼルエンジン４０を再始動させるよう燃料噴射弁制御部７１に対して指示信号を送信する。また、アイドリングストップ制御部６３は、再始動条件が成立したときには、レール圧判定部６９及び流量制御弁制御部７３、圧力制御弁制御部７５に対して再始動条件成立を示す信号を送信する。
【００４２】
アイドリングストップ条件成立検出部６１で検出されるアイドリングストップ条件は、例えば、エンジンスイッチSwがオンの状態にあること、ギアセンサの検出位置Sgがニュートラルであること、サイドブレーキBrがひかれていること、ブレーキペダルセンサの検出位置Sbが踏まれた状態にあること、ディーゼルエンジン４０の回転数Neが所定のしきい値以下であること、車速Vが０である状態が所定時間以上継続したこと等のうちの少なくとも一つ以上の条件がそろうことを条件とすることができるが、これに制限されるものではない。
【００４３】
また、再始動条件成立検出部６２で検出される再始動条件は、ディーゼルエンジン４０の自動停止中に、ギアセンサの検出位置Sgがニュートラル状態から解除されたこと、サイドブレーキBrが解除されたこと、アクセルペダルAccが踏まれたこと等のうちのいくつかの条件がそろうことを条件とすることができるが、これに制限されるものではない。
【００４４】
（２）燃料噴射弁制御部
燃料噴射弁制御部７１は、エンジン回転数Neやアクセル操作量Acc等に基づいて目標燃料噴射量Qtgtを算出するとともに、目標燃料噴射量Qtgtに見合う燃料噴射弁１３の制御信号を生成し、燃料噴射弁１３に対して制御信号を出力する。この燃料噴射弁制御部７１は、アイドリングストップ制御部６３からアイドリングストップ条件成立を示す信号が送信されると燃料噴射を停止するとともに、再始動条件成立を示す信号が送信されると燃料噴射を再開する。
【００４５】
（３）目標レール圧演算部及びレール圧検出部
目標レール圧演算部６５は、エンジン回転数Neやアクセル操作量Acc等に基づいて目標レール圧Ptgtを算出し、ＲＡＭに記憶させる。また、レール圧検出部６７は、コモンレール１０に備えられた圧力センサ２１のセンサ値を継続的に読み込み、検出レール圧Psensorを求め、ＲＡＭに記憶させる。
【００４６】
（４）レール圧判定部
レール圧判定部６９は、アイドリングストップ条件成立検出部６１からアイドリングストップ条件成立を示す信号が送信されると、以降の検出レール圧Psensorを継続的に読み込み、検出レール圧Psensorが所定の第１の閾値Prail_thr1以上となっているか否かを判定する。この第１の閾値Prail_thr1は、高圧ポンプ５の駆動を開始した場合であっても高圧ポンプ５の駆動系に対する負荷が大きくならないような値に設定される。例えば、第１の閾値Prail_thr1は、燃料噴射弁１３からの正常噴射が可能な噴射可能圧力よりも大きく、アイドリングストップ制御によるディーゼルエンジン４０の自動停止時に圧力制御弁１２に保持電流A1が通電されたときに想定されるレール圧よりも小さい値とされる。
【００４７】
検出レール圧Psensorが第１の閾値Prail_thr1以上になっている場合、レール圧判定部６９は流量制御弁制御部７３に対して、流量制御弁８を閉じさせるよう指示信号を送信する。一方、検出レール圧Psensorが第１の閾値Prail_thr1を下回っている場合、レール圧判定部６９は流量制御弁制御部７３に対して、流量制御弁８を開かせるよう指示信号を送信する。
【００４８】
（５）流量制御弁制御部及び圧力制御弁制御部
流量制御弁制御部７３及び圧力制御弁制御部７５は、基本的には、検出レール圧Psensorが目標レール圧Ptgtとなるように、それぞれ流量制御弁８あるいは圧力制御弁１２の通電制御を実行する。具体的に、流量制御弁制御部７３は、流量制御弁８の開度を調節することで高圧ポンプ５の加圧室５ａに供給される燃料の流量を制御し、高圧ポンプ５からコモンレール１０に圧送される高圧の燃料の流量を変えることでレール圧を調節する。また、圧力制御弁制御部７５は、圧力制御弁１２の開度を調節することでコモンレール１０からリターン通路３０ｂに排出されるリターン燃料の流量を制御し、レール圧を調節する。
【００４９】
レール圧の制御を流量制御弁制御部７３によって行うか、圧力制御弁制御部７５によって行うか、あるいは、二つの制御部を併用して行うかは、車両の走行状態やディーゼルエンジン４０の運転状態に応じて切り分けられている。ただし、いずれの制御モードにおいても、高圧ポンプ５の加圧室５ａに燃料を供給するために、少なくとも流量制御弁８は開かれる。
【００５０】
また、圧力制御弁制御部７５は、アイドリングストップ制御部６３からアイドリングストップ条件成立を示す信号が送信されると、圧力制御弁１２に対して所定の保持電流A1を継続的に通電する制御を行う。この保持電流A1は、レール圧が噴射可能圧力よりも大きい値に調節されるような制御値であり、ディーゼルエンジン４０が比較的長時間自動停止する場合であっても、再始動時のレール圧が噴射可能圧力以上に確保されるような値に設定される。
【００５１】
圧力制御弁１２に保持電流A1が通電されることで、ディーゼルエンジン４０の自動停止後、初期の段階では、レール圧が保持電流A1に応じた圧力Pra=a1となるまでコモンレール１０内の高圧の燃料の一部がリターン通路３０ｂに排出される。その後は、燃料高圧系に存在する微細な隙間からの燃料のリークによってレール圧が少しずつ低下するものの、ディーゼルエンジン４０が長時間停止し続けない限り、再始動時のレール圧が噴射可能圧力以上に維持されやすくなる。
【００５２】
また、流量制御弁制御部７３は、アイドリングストップ制御部６３からアイドリングストップ条件成立を示す信号が送信されると、流量制御弁８に対する通電を遮断する。本実施形態の流量制御弁８はノーマルオープンの構成となっているために、ディーゼルエンジン４０の自動停止時に通電を遮断されると、流量制御弁８は全開となる。一方、流量制御弁制御部７３は、アイドリングストップ制御によってディーゼルエンジン４０が自動停止状態になると、レール圧判定部６９から送信される指示信号にしたがって流量制御弁８に通電を行い流量制御弁８を全閉状態にする。アイドリングストップ条件成立と同時に流量制御弁８を全閉状態にしてもよい。
【００５３】
そして、ディーゼルエンジン４０の自動停止中、検出レール圧Psensorが第１の閾値Prail_thr1以上で維持され、かつ、流量制御弁８が閉じられたたまま、再始動条件成立検出部６２によって再始動条件の成立が検出されたときには、流量制御弁制御部７３は、ディーゼルエンジン４０の再始動後も流量制御弁８を閉じた状態で維持する。
【００５４】
このようにしてディーゼルエンジン４０の再始動時に高圧ポンプ５の加圧室５ａへの燃料供給開始時期を遅らせることで、燃料噴射弁１３からの燃料噴射によって検出レール圧Psensorが第１の閾値Prail_thr1を下回る状態になるまで加圧室５ａへの燃料の供給が行われず、プランジャ７を上昇させるために大きな力を要することがなくなる。したがって、カム１５とタペット構造体５８のローラ５４との接触部位の油膜が不十分な状態のままで高圧ポンプ５の駆動系に多大な負荷が与えられることが避けられる。
【００５５】
また、検出レール圧Psensorが第１の閾値Prail_thr1を下回る状態になったときには、高圧ポンプ５の回転に伴いカム１５とタペット構造体５８のローラ５４との接触部位に潤滑用燃料が浸透して油膜が形成される。そのため、この接触部位の油膜が十分な状態となった後に加圧室５ａへの燃料供給が開始することになる。
【００５６】
本実施形態の制御装置６０の場合、ディーゼルエンジン４０を再始動させた後、検出レール圧Psensorが第１の閾値Prail_thr1よりもやや大きい第２の閾値Prail_thr2以下となった時に、高圧ポンプ５の加圧室５ａへの燃料供給が開始されるようになっている。この第２の閾値Prail_thr2は、流量制御弁８を開いてから加圧室５ａ内に燃料が充てんされるまでの遅れ時間を考慮して、遅れ時間の間に検出レール圧Psensorが第１の閾値Prail_thr1以下になると想定される値に設定されている。そのため、検出レール圧Psensorが実際に第１の閾値Prail_thr1以下になってから流量制御弁８を開く場合と比較して、電力消費量の低減を図ることができるとともに、加圧室５ａへの燃料供給開始時期が早くなって早期に通常のレール圧制御モードに復帰させることができる。
【００５７】
なお、ディーゼルエンジン４０の再始動後、高圧ポンプ５の加圧室５ａへの燃料供給の開始時期については、上述のような第２の閾値Prail_thr2を用いて決定する方法以外に、燃料噴射開始後レール圧が第２の閾値Prail_thr2以下になると想定される最大の時間をあらかじめ設定しておくこともできる。
【００５８】
３．内燃機関の制御の具体的フロー
次に、上述した内燃機関の制御装置６０によって実行されるディーゼルエンジン４０の制御の一例について、図４及び図５のタイムチャート及び図６の制御フローに基づいて具体的に説明する。図４及び図５のタイムチャートは、アイドリングストップ制御中のエンジン回転数Ne、実レール圧Pact、流量制御弁８の開閉の経時変化を示しており、図４が、ディーゼルエンジン４０の自動停止中にレール圧Pactが第１の閾値Prail_thr1以上で維持されたままディーゼルエンジン４０が再始動された場合の例を示し、図５が、ディーゼルエンジン４０の自動停止中にレール圧Pactが第１の閾値Prail_thr1を下回った場合の例を示している。
【００５９】
図６の制御フローにおいて、スタート後のステップＳ１１では、所定のアイドリングストップ条件が成立したか否かが判別される（図４及び図５のt0〜t1の期間）。アイドリングストップ条件が成立すると、ステップＳ１２に進み燃料噴射弁１３による燃料噴射を停止してディーゼルエンジン４０を停止させるとともに、ステップＳ１３で圧力制御弁１２に対する保持電流A1の通電を開始する（図４及び図５のt1）。
【００６０】
次いで、ステップＳ１４では、ディーゼルエンジン４０の回転数Neが読み込まれ、回転数Neがゼロになったか否かが判別される。このステップＳ１４はディーゼルエンジン４０の回転数Neがゼロになるまで繰り返され（図４及び図５のt1〜t2の期間）、回転数Neがゼロになったときには（図４及び図５のt2）、ステップＳ１５に進み検出レール圧Psensorが読み込まれるとともに、検出レール圧Psensorが第１の閾値Prail_thr1以上であるか否かが判別される（図４のt2〜t3の期間及び図５のt2〜t3’の期間）。
【００６１】
検出レール圧Psensorが第１の閾値Prail_thr1以上である場合には、ステップＳ１６に進み、所定の再始動条件が成立して高圧ポンプ５が動き出した場合であっても高圧ポンプ５の駆動系に多大な負荷が与えられないように流量制御弁８が閉じられる。次いで、ステップＳ１７では所定の再始動条件が成立したか否かが判別され、成立していなければステップＳ１５に戻り検出レール圧Psensorと第１の閾値Prail_thr1との比較が繰り返される（図４のt2〜t3の期間）。一方、再始動条件が成立している場合には、ステップＳ１８に進み燃料噴射弁１３からの燃料噴射を再開してディーゼルエンジン４０を再始動させる（図４のt3）。
【００６２】
ディーゼルエンジン４０が再始動した後は、ステップＳ１９で検出レール圧Psensorが読み込まれるとともに検出レール圧Psensorが第２の閾値Prail_thr2以下であるか否かが判別される（図４のt3〜t4の期間）。レール圧が燃料噴射弁からの燃料噴射に伴い低下し、検出レール圧Psensorが第２の閾値Prail_thr2以下になったときには、ステップＳ２０で流量制御弁８を閉じる制御を解除し、通常のレール圧制御モードに移行する（図４のt4）。
【００６３】
一方、ステップＳ１５において、検出レール圧Psensorが第１の閾値Prail_thr1未満である場合には、所定の再始動条件が成立して高圧ポンプ５が動き出した場合であっても高圧ポンプ５の駆動系に多大な負荷が与えられることがない状態であることから、ステップＳ２１に進み流量制御弁８を開いた状態にして（図５のt3’）、ステップＳ２２で再始動条件が成立するまで待機する（図５のt3’〜t4’の期間）。そして、再始動条件が成立したときにはステップＳ２３に進み燃料噴射弁１３からの燃料噴射を再開してディーゼルエンジン４０を再始動させる（図５のt4’）。
【００６４】
以上のようにして実行されるディーゼルエンジン４０の自動停止状態からの再始動時の制御によれば、再始動時にレール圧が比較的高い状態のときには高圧ポンプ５の加圧室５ａへの燃料供給開始時期が遅らされ、高圧ポンプ５の駆動系に多大な負荷が与えられることが回避される。したがって、高圧ポンプの耐久性の低下が抑えられる。
【００６５】
４．応用例
これまで説明した実施の形態の内燃機関の制御装置６０では、アイドリングストップ制御によってディーゼルエンジン４０が自動停止した直後から検出レール圧Psensorと第１の閾値Prail_thr1とを継続的に比較して、検出レール圧Psensorが第１の閾値Prail_thr1以上になっている限り流量制御弁８を全閉にする制御が行われている。このような制御に代えて、再始動条件が成立するまでの間は流量制御弁８を全開にしておき、再始動条件の成立時に読込まれる検出レール圧Psensorが第１の閾値Prail_thr1以上であるか否かによって、ディーゼルエンジン４０の再始動時に流量制御弁８を所定時間閉じるか否かを決定するようにしてもよい。
【００６６】
また、ディーゼルエンジン４０に備えられた回転数センサを用いてディーゼルエンジン４０の回転数を検出できるように制御装置６０を構成し、ディーゼルエンジン４０の回転数が所定の閾値以上になることを加圧室５ａへの燃料供給の開始の条件とすることもできる。このように燃料供給開始条件を設定した場合であっても、カム１５の回転によってカム１５とローラ５４との接触部位に潤滑油が浸透し油膜が形成されるため、高圧ポンプ５の駆動系に負荷が与えられた場合であっても高圧ポンプ５の耐久性の低下を軽減することができる。
【００６７】
さらに、上述した実施の形態においては、燃料噴射弁に背圧制御に用いられる燃料以外の燃料のリーク通路が設けられておらず、ディーゼルエンジン４０の自動停止時にレール圧が低下しにくい構成の蓄圧式燃料噴射装置５０を用いた例について説明したが、本発明はこのような蓄圧式燃料噴射装置５０を用いる場合に限られるものではない。
燃料噴射弁が背圧制御に用いられる燃料以外の燃料のリーク通路を有しており、ディーゼルエンジンの自動停止時にレール圧が低下する構成の蓄圧式燃料噴射装置を用いる場合においても、ディーゼルエンジンの再始動時にレール圧が比較的高い状態である場合には、高圧ポンプの加圧室への燃料供給開始時期を遅らせることにより、ディーゼルエンジンの再始動性を確保しつつ、高圧ポンプの駆動系への負荷を低減することができる。
【符号の説明】
【００６８】
１：燃料タンク、２：低圧ポンプ、５：高圧ポンプ、５ａ：加圧室、６：燃料吸入弁、７：プランジャ、８：流量制御弁、９：燃料吐出弁、１０：コモンレール、１２：圧力制御弁、１３：燃料噴射弁、１４：圧力調整弁（オーバーフローバルブ）、１５：カム、１６：カム室、１８ａ・１８ｂ：低圧燃料通路、２１：圧力センサ、３０ａ・３０ｂ・３０ｃ：リターン通路、３７・３９：高圧燃料通路、４０：内燃機関（ディーゼルエンジン）、５０：蓄圧式燃料噴射装置、５１：ポンプハウジング、５２：シリンダヘッド、５２ａ：シリンダ、５２ｂ：燃料吐出路、５５：スプリング、５８：タペット構造体、５９：スプリングシート、６０：制御装置、６１：アイドリングストップ条件成立検出部、６２：再始動条件成立検出部、６３：アイドリングストップ制御部、６５：目標レール圧演算部、６７：レール圧検出部、６９：レール圧判定部、７１：燃料噴射弁制御部、７３：流量制御弁制御部、７５：圧力制御弁制御部
【図１】
0005464649.tif 000002
【図２】
0005464649.tif 000003
【図３】
0005464649.tif 000004
【図４】
0005464649.tif 000005
【図５】
0005464649.tif 000006
【図６】
0005464649.tif 000007